(57)【要約】【課題】  電子的な寄せ書き装置を提供する。【解決手段】  タブレットコンピュータ１１にメッセージが書かれると、メッセージ入力部１２により該メッセージがコンピュータに取り込まれ、メッセージＩＤ付与部１３より固有のＩＤが付与されて、メッセージ管理部１５により、付与されたＩＤがメッセージデータとともにメッセージ管理テーブル１４に登録される。このようにして全員がメッセージを書き終え、メッセージデータがＩＤとともにメッセージ管理テーブル１４に登録されると、メッセージＩＤに対応したメッセージデータがメッセージ管理テーブル１４からメッセージ管理部１５によって読み出され、メッセージレイアウト部１６により表示用にレイアウトされ、メッセージ出力部１７によりタブレットコンピュータ１１の画面に描画される。【選択図】  図１
2006127013.tif 000002
【特許請求の範囲】
【請求項１】
コンピュータの画面にペンで直接、絵や文字を手書き入力可能なタブレットコンピュータに手書きされたデータをメッセージデータとしてコンピュータに取り込むステップと、
取り込まれたメッセージデータにメッセージＩＤを付与するステップと、
付与されたメッセージＩＤをメッセージデータと併せてメッセージ管理テーブルに登録するステップと、
前記メッセージ管理テーブルから、指定されたメッセージＩＤに対応したメッセージデータを読み出すステップと、
読み出されたメッセージデータを表示用にレイアウトするステップと、
レイアウトされたメッセージデータを前記タブレットコンピュータの画面に描画するステップと
を有する電子寄せ書き方法。
【請求項２】
コンピュータの画面にペンで直接、絵や文字を手書き入力可能なタブレットコンピュータと、
前記タブレットコンピュータに入力された手書きデータをメッセージデータとしてコンピュータに取り込むメッセージ入力手段と、
取り込まれたメッセージデータにメッセージＩＤを付与するメッセージＩＤ付与手段と、
メッセージＩＤおよびメッセージデータを蓄積しておくためのメッセージ管理テーブルと、
前記メッセージＩＤ付与手段にて付与されたメッセージＩＤをメッセージデータと併せて前記メッセージ管理テーブルに登録し、かつ、前記メッセージ管理テーブルから指定されたメッセージＩＤに対応したメッセージデータを読み出すメッセージ管理手段と、
前記メッセージ管理手段で読み出されたメッセージデータを表示用にレイアウトするメッセージレイアウト手段と、
レイアウトされたメッセージデータを前記タブレットコンピュータの画面に描画するメッセージ出力手段と
を有する電子寄せ書き装置。
【発明の詳細な説明】
【技術分野】
【０００１】
本発明は、タブレットコンピュータを用いて複数の人が手書きメッセージを書き込み、書き込まれたメッセージをコンピュータがレイアウト調整し、寄せ書きとしてコンピュータ画面に表示する電子寄せ書き装置に関する。
【背景技術】
【０００２】
従来から、結婚式や送別会といった特別なイベントにおいて、紙媒体としての色紙に皆でメッセージを書いて渡すという文化がある。紙媒体を使った寄せ書きでは、メッセージを書く人が、自分のメッセージを書いては次の人に渡していき、最後の人が書き終わったら、受け取る本人に贈り物として色紙が渡される。
【０００３】
メディア処理技術やネットワーク技術が発達した近年では、寄せ書きにこれらの技術を利用する例も出始めている。例えば、メディア処理技術を利用した例として、ボイスレコーダーを用いた声の寄せ書き（特許文献１）等がある。ネットワークを利用した寄せ書きには、特許文献２等がある。同じ場所に居合わせない人がメッセージを書いて寄せ書きとする場合にはこれらの発明は有効と考えられる。しかしながら、寄せ書きは、結婚式や送別会の会場といった物理的に皆が居合わせる場所において必要とされる場合が多く、そのような場合に複数人で利用できる電子的な寄せ書きは実現されていない。
【０００４】
一方、近年、持ち運び可能な薄型のタブレットコンピュータが普及しつつある。タブレットコンピュータでは、コンピュータの画面上を専用ペンでなぞることにより、手書きの絵や文字を書くことが可能であり、それらの書いた絵や文字はコンピュータが処理可能なデータとしてタブレットコンピュータ内に取り込まれる。
【特許文献１】特開平７−９３９５９号公報
【特許文献２】特開２００３−３０１８２号公報
【発明の開示】
【発明が解決しようとする課題】
【０００５】
上述した従来の技術では、特に寄せ書きが必要とされる結婚式や送別会といった物理的に複数の人が居合わせる場合において利用可能な電子寄せ書きが実現できないという問題があった。
【０００６】
本発明の目的は、誰がどのメッセージを書いたかという情報を管理し、レイアウト表示する電子的な寄せ書き方法および装置を提供することである。
【課題を解決するための手段】
【０００７】
上記の問題を解決するために、本発明による電子寄せ書き装置は、コンピュータの画面にペンで直接、絵や文字を手書き入力可能なタブレットコンピュータと、タブレットコンピュータに入力された手書きデータをメッセージデータとしてコンピュータに取り込むメッセージ入力手段と、取り込まれたメッセージにメッセージＩＤを付与するメッセージＩＤ付与手段と、メッセージＩＤおよびメッセージデータを蓄積しておくためのメッセージ管理テーブルと、メッセージＩＤ付与手段にて付与されたメッセージＩＤをメッセージデータと併せてメッセージ管理テーブルに登録し、かつ、メッセージ管理テーブルから指定されたメッセージＩＤに対応したメッセージデータを読み出すメッセージ管理手段と、メッセージ管理手段で読み出されたメッセージデータを表示用にレイアウトするメッセージレイアウト手段と、レイアウトされたメッセージデータをタブレットコンピュータの画面に描画するメッセージ出力手段、とを有する。
【０００８】
本発明は、手書きの絵や文字を入力可能なタブレットコンピュータを、寄せ書きのための道具として用い、入力された手書きメッセージをコンピュータでソフトウェア処理することによって、誰がどのメッセージを書いたかという情報を管理し、レイアウト表示することで電子的な寄せ書きを実現するものである。
【発明の効果】
【０００９】
以上のように、本発明によれば、手書きの絵や文字を入力可能なタブレットコンピュータを、寄せ書きのための道具として用い、入力された手書きメッセージを処理することによって、誰がどのメッセージを書いたかという情報を管理し、レイアウト表示することで電子的な寄せ書き装置を提供することで、持ち運び可能なタブレットコンピュータを用いて、従来の色紙にメッセージを書く寄せ書きのスタイルを保持しつつ、メッセージレイアウト等の電子的処理を可能にするという効果がある。
【発明を実施するための最良の形態】
【００１０】
以下、本発明の実施の形態について図面を参照して説明する。
【００１１】
図１を参照すると、本発明の一実施形態の電子寄せ書き装置はタブレットコンピュータ１１とメッセージ入力部１２とメッセージＩＤ付与部１３とメッセージ管理テーブル１４とメッセージ管理部１５とメッセージレイアウト部１６とメッセージ出力部１７を有している。
【００１２】
タブレットコンピュータ１１は、コンピュータの画面にペンで直接、絵や文字を手書き入力可能で、このタブレットコンピュータは、寄せ書きメッセージの入力の道具であると同時に、書かれた寄せ書きメッセージを表示する機能を併せ持つ。
【００１３】
メッセージ入力部１２は、タブレットコンピュータ１１にて入力された手書きデータをメッセージデータとしてコンピュータに取り込む。コンピュータの画面をペンでなぞった軌跡の情報を一定ごとに区切り、メッセージデータとしてコンピュータに保存する。メッセージデータの形式は、ベクトルデータやピクセルデータでもよいし、手書き文字認識の技術を用いてテキスト化してもよい。
【００１４】
メッセージＩＤ付与部１３は、メッセージ入力部１２において取り込まれたメッセージデータに対し、区切りごとに個別のＩＤを付与し、順に書かれた複数のメッセージを別の人が書いたメッセージとして識別する。
【００１５】
メッセージ管理テーブル１４は、メッセージ入力部１２で取り込まれたメッセージデータと、メッセージＩＤ付与部１３で付与されたメッセージＩＤを対として記憶しておく。
【００１６】
メッセージ管理部１５は、メッセージＩＤ付与部１３にて付与されたメッセージＩＤをメッセージデータと併せてメッセージ管理テーブル１４に登録し、かつ、必要に応じてメッセージ管理テーブル１４から指定されたメッセージＩＤに対応したメッセージデータを読み出す。
【００１７】
メッセージレイアウト部１６は、メッセージ管理部１５で読み出されたメッセージデータを表示用にレイアウトする。
【００１８】
メッセージ出力部１７は、メッセージレイアウト部１６でレイアウトされたメッセージをタブレットコンピュータ１１の画面に描画する。
【００１９】
図２は本実施形態の電子寄せ書き装置の処理を示すフローチャートである。
【００２０】
まず、メッセージ入力部１２は、一番目の書き手がタブレットコンピュータ１１を用いて書いたメッセージをコンピュータに取り込む（ステップ１０１）。メッセージが区切れたかどうか判断し（ステップ１０２）、区切れたならば、処理はステップ１０３に進む。区切れていないならば、ステップ１０１に戻ってさらにメッセージを取り込む。メッセージの区切れを検出する方法については、さまざまな方法があり、限定されない。例えば、メッセージの書き手に画面上の記入完了ボタンをペンで選択させてもよいし、一定秒数ペンがタブレットコンピュータのタブレットから離れていたら区切りと判断してもよい。メッセージＩＤ付与部１３は、メッセージ入力部１２において取り込まれたメッセージに対し固有のＩＤを付与する（ステップ１０３）。メッセージ管理部１５は、メッセージＩＤ付与部１３で付与されたＩＤを、該メッセージデータとともにメッセージ管理テーブル１４に登録する（ステップ１０４）。メッセージ入力部１２は、書き手が全員メッセージを書き終えたかどうか検出する（ステップ１０５）。書き終えたならば、処理はステップ１０６に進む。まだならば、処理はステップ１０１に戻って次の書き手の入力を待つ。全員がメッセージを書き終えたかどうかの検出方法については、さまざまな方法があり、限定されない。例えば、最後の書き手に画面上の終了ボタンをペンで選択させる方法が考えられる。全員がメッセージを書き終えたら、メッセージ管理部１５はメッセージ管理テーブル１４から指定されたメッセージＩＤのメッセージを順次読み出す（ステップ１０６）。メッセージレイアウト部１６は、メッセージ管理テーブル１４に登録されているメッセージデータをタブレットコンピュータ１１の画面に表示できるようにレイアウトする（ステップ１０７）。レイアウト方法にはさまざまな方法が考えられ、限定されない。例えば、図３に示すようにマトリックスとして各メッセージを配置してもよいし、図４のように画面に放射状に広がるように配置してもよい。メッセージ出力部１７は、メッセージレイアウト部１６において決定されたレイアウト情報にしたがってタブレットコンピュータ１１の画面上に全員分のメッセージを寄せ書きとして描画する（ステップ１０８）。
【００２１】
なお、本電子寄せ書き装置は専用のハードウェアにより実現されるもの以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。
【図面の簡単な説明】
【００２２】
【図１】本発明の一実施形態の電子寄せ書き装置の構成図である。
【図２】図１の電子寄せ書き装置の処理を示すフローチャートである。
【図３】メッセージをマトリックスに配置した寄せ書きレイアウトの例を示す図である。
【図４】メッセージを放射状に配置した寄せ書きレイアウトの例を示す図である。
【符号の説明】
【００２３】
１１    タブレットコンピュータ
１２    メッセージ入力部
１３    メッセージＩＤ付与部
１４    メッセージ管理テーブル
１５    メッセージ管理部
１６    メッセージレイアウト部
１７    メッセージ出力部
１０１〜１０８    ステップ
【図１】
2006127013.tif 000003
【図２】
2006127013.tif 000004
【図３】
2006127013.tif 000005
【図４】
2006127013.tif 000006